(57)【特許請求の範囲】
【請求項１】
右側眼鏡レンズと左側眼鏡レンズとを備える一対の眼鏡レンズであって、
各々の眼鏡レンズが、
遠距離および特に「無限遠」を見るために設計された領域（遠距離部分）、
近距離および特に「読書距離」を見るために設計された領域（近接部分）、および
遠距離部分と近接部分との間に配置されたプログレッシブゾーンで、眼鏡レンズの倍率が遠距離部分にある遠距離基準点での値から近接部分にある近接基準点での値にまで鼻に向かう曲線（主線）に沿って増加するプログレッシブゾーンを含むものであり、
前記一対の眼鏡レンズは、次のように、すなわち、
−  前記一対の眼鏡レンズは、使用者によって装用される位置において、前記使用者が水平に移動する移動物体を追跡する場合に前記右側眼鏡レンズと前記左側眼鏡レンズの対応するシースルー点における両眼の結像特性の最大値と最小値の間の格差であるリフトを備え、
−  前記リフトは生理的既定限界量よりも小さくあり、
−  両眼の結像特性の前記リフトは、前記眼鏡レンズの物体側頂点にある原点、水平方向に伸びるｘ軸、垂直方向に伸びるｙ軸、及び光線方向に沿って伸びるｚ軸を有する座標系において、高さｙ＝１０ｍｍにある主光線の平面ｚ＝−４０ｍｍとの交点がｘ軸に沿って長さ２０ｍｍを有する水平直線での動きに対して計算される、
ように計算され、
前記リフトは、前記右側眼鏡レンズと前記左側眼鏡レンズの前記対応するシースルー点における最小および最大非点収差差との格差の絶対値であり、前記リフトはどの場所においても０．１２ｄｐｔ以下である
ことを特徴とする一対の眼鏡レンズ。
【請求項２】
前記リフトは、前記右側眼鏡レンズと前記左側眼鏡レンズの前記対応するシースルー点における最小および最大平均倍率の格差の絶対値であり、前記リフトはどの場所においても０．０６ｄｐｔ以下である
ことを特徴とする請求項１に記載の一対の眼鏡レンズ。
【請求項３】
前記リフトは、前記右側眼鏡レンズと前記左側眼鏡レンズの前記対応するシースルー点における最小および最大垂直プリズム偏差の格差の絶対値であり、前記リフトはどの場所においても０．０５ｃｍ／ｍ以下である
ことを特徴とする請求項１から請求項２の任意の一つに記載の一対の眼鏡レンズ。
【請求項４】
前記リフトは、ｘ座標−１０ｍｍと１０ｍｍの間の前記右側眼鏡レンズと前記左側眼鏡レンズの前記対応するシースルー点における最小および最大垂直プリズム偏差の格差の絶対値であり、前記リフトは０．０２ｃｍ／ｍ以下である
ことを特徴とする請求項１から請求項３の任意の一つに記載の一対の眼鏡レンズ。
【発明の詳細な説明】
【０００１】
【発明の属する技術分野】
本発明は、請求項１の前提部分によるプログレッシブ眼鏡レンズで、目線の移動中に両眼特性を少しだけ変える前記レンズに関する。
【０００２】
【従来の技術】
プログレッシブ眼鏡レンズ（他焦点レンズ、多重焦点レンズ等とも呼ばれる）は通常は、眼鏡着用者が近接物体を見る領域（近接部分）におけるよりも、眼鏡着用者が遠距離（今後は遠距離部分と呼ぶ）にある物体を見る領域内で異なる（低）倍率を有する眼鏡レンズであると理解される。所謂プログレッシブゾーンが遠距離部分と近接部分の間に置かれ、このゾーンでは眼鏡レンズの倍率は遠距離部分の倍率から近接部分の倍率への連続的に増加する。この倍率の大きさは付加倍率（Ａｄｄ）として明示される。
【０００３】
一般に、遠距離部分は眼鏡レンズの上部にあり、「無限遠」を見るために設計され、また、近接部分は下部にあり、特に読書用に設計される。特殊用途の眼鏡では、（パイロット用やモニターワークステーション用のものが事例として記述される）遠距離および近接部分はそれぞれに配置されるか、または他の距離として設計される。さらに、複数の近接部分および／あるいは遠距離部分と適切なプログレッシブゾーンを与えることができる。
【０００４】
一定の屈折率を持つプログレッシブ眼鏡レンズでは、遠距離部分と近接部分の間の倍率を増加させるためには、片方の面あるいは両面の曲率が遠距離部分から近接部分に連続して変化することが必要になる。
【０００５】
眼鏡レンズの両面は通常、前記面上のあらゆる点で所謂、主曲率半径Ｒ１とＲ２で特徴づけされる。（所謂、主曲率Ｋ１＝１／Ｒ１とＫ２＝１／Ｒ２が主曲率半径の代わりに与えられることもある）。ガラス材の屈折率と共に、主曲率半径が面の眼科的特徴付けのために頻繁に用いられるパラーメータを左右した。
【０００６】
面倍率＝０．５×（ｎ−１）×（１／Ｒ１＋１／Ｒ２）
面非点収差＝（ｎ−１）×（１／Ｒ１−１／Ｒ２）
【０００７】
面倍率Ｄはパラメータであり、このパラメータにより遠距離部分から近接部分までの倍率の増加が得られる。面非点収差（より詳しくは円筒倍率と呼ぶ）は「面倒な特性」である。それは、約０．５ｄｐｔの値を越える非点収差（眼は補正されるべき生来の収差を持たないものではあるが）があると網膜上の像を明瞭に見ることができなくなるからである。
【０００８】
面非点収差により視覚を「乱される」ことなく面倍率を高めるのに必要なレンズ面の曲率の変化は（平面や曲がりくねった）線に沿って比較的簡単に得られるが、この線に沿って両面の「交差（ｉｎｔｅｒｓｅｃｔｉｏｎｓ）」が発生し、上記の線に沿う領域においてレンズの特性を多少とも悪くする大きな面非点収差を引き起こす。
【０００９】
これらの交差の結果は、眼鏡レンズは鼻と側頭側のそれぞれのシースルー位置で異なる特性を持つことになる。両眼視力は、特にそれにより悪影響を受けることもある。これは目線の移動中に主に顕著になり、それゆえに（視力が）乱れる。
【００１０】
眼鏡着用者が彼の頭を静止させ、移動物体を追跡凝視するときに、一方で、彼の視覚的印象は、必要な目の動きを移動物体を追跡させる場合に、彼が見通す位置での彼の眼鏡の両方のレンズの結像特性に依存する。眼鏡着用者がこれらのシースルー位置で小さな像の欠陥（非点収差、屈折欠陥など）に出会うと、彼は移動物体を大きな像の欠陥がある場合よりもより明確に見る。
【００１１】
他方で、両方の眼が視力に加わるので、全体の視覚的印象は両眼の視覚的印象で成り立つ。
【００１２】
それゆえ、例えば、移動物体が単一物体として両眼で感知されるかどうか、それを統合する努力の大きさ、眼鏡着用者が両眼で移動物体を明確に等しく、あるいは片方の眼では良く、および他方の眼では悪く見れるかどうかは重要である。最終的には、移動物体の場合に、移動物体を追跡する間のこの両眼の視覚的印象の変化は重要である。
【００１３】
【発明が解決しようとする課題】
本発明は、両眼の視覚的印象特性に関連する光学パラメータが目線を移しても可能な限りほとんど変化しない方式の請求項１に記載の前提部分に述べたような種類のプログレッシブ眼鏡レンズを開発する目的に基づくものである。
【００１４】
【課題を解決するための手段】
この目的の本発明による達成は請求項１に述べる。本発明のさらなる発展は従属請求項に論述される。
【００１５】
本発明により、前記目的の達成に関連する両眼特性は非点収差の差、屈折平衡、および垂直プリズム偏差であることが明らかにされた。
【００１６】
これらのパラメータは右側眼鏡レンズの前面上の点を通る右目の回転中心から移動物体点までの主光線と関連波面を計算することで得られる。この波面のデータと右目に対する処方とから、非点収差偏差と屈折エラーが一般に周知の方式で計算される。次に、左目の回転中心を通る移動物体点からの主光線と波面が視線の公差を（オルソトロピー）仮定して繰返される。
【００１７】
このことから、右側レンズと左側レンズ上の対応シースルー点を計算する。
【００１８】
左側眼鏡レンズによる波面の屈折欠陥と非点収差偏差は右側レンズに対する値と組み合わされ、（斜め交差円筒の方法による）非点収差差および（眼鏡レンズの平均倍率間の差の絶対値）屈折平衡のパラメータを作る。垂直プリズム偏差が眼側の主光線をサイクロップス（Ｃｙｃｌｏｐｓ）アイプレーン上に投影し、さらに直線間の角度（ｃｍ／ｍ）を表すことで得られる。
【００１９】
物を読み、また移動物体を追跡する際に行う目の動きに対して重要なのは、これらのパラメータの大きさのみでなく、目が動いている間のこれらのパラメータの変化でもある。これらのパラメータの変化は、それらの「リフト（ｌｉｆｔｓ）」、すなわち、目の動きに伴って生じる最大値と最小値の間の格差で特徴づけられる。
下記に本発明を発明全体の概念の制限なしに、テキストに明確に記述されていない本発明の細部全部の開示に関係する注目部を明確に描いた図面を参照して実施例より事例を記述する。
【００２０】
【発明の実施の形態】
図１から図３は、市場の二つの右側眼鏡レンズ、すなわち、Ｖａｒｉｌｕｘ  Ｃｏｍｆｏｒｔ（曲線１）とＧＲＡＤＡＬ  ＴＯＰ（曲線２）の各々による目の動きで生じる非点収差の差、屈折平衡および垂直プリズム偏差の最大リフトを示す。各レンズは処方ｓｐｈ＋０．５ｄｐｔ、ｃｙｌ  ０ｄｐｔ、Ａｄｄ２．０ｄｐｔ、Ｐｒ０ｃｍ／ｍを持ち、比較のために、本発明の眼鏡レンズ（曲線３）は同一処方値を持つ。
【００２１】
物体を水平方向に追跡すると、（右側の）主光線は平面ｚ＝−４０ｍｍ内の高さｙ＝１０ｍｍで２０ｍｍの全進路に沿って進行する。これは眼鏡レンズ上の４．５ｍｍの高さに対応する。使用する座標軸はその原点を眼鏡レンズの物体側頂点に持ち、ｚ軸は光の方向に伸びる。
【００２２】
横座標値はレンズの前面を通る主光線の第一および最終透過点のｘ座標の算術平均である。
【００２３】
縦座標値は記述単一動き中のリフトを表す。
【００２４】
本発明の主題であるリフトは最大値で０．１１ｄｐｔであり、従来技術よりも明確に小さいことが比較により分かる。
【００２５】
主経線全体に沿う屈折平衡のリフト（眼鏡レンズの平均倍率の差）も競合製品のものよりＨＥＰで明らかに少ない。このリフトが０．０６ｄｐｔの値を超えるものはどこにもない。
【００２６】
本発明の主題による垂直プリズム偏差結像特性のリフトの変化がより小さいことが非常に明白であり；このリフトは０．０２ｃｍ／ｍの値からｘ座標±１０ｍｍまでを超えない。
【００２７】
それゆえ、本発明のプログレッシブ眼鏡レンズは明らかに、目線の水平の動きによる両眼の結像特性は出来る限り小さくなり、さらにそれに関連して両眼の見易さは高くなる。
【００２８】
本発明のプログレッシブ眼鏡レンズは所謂、着用位置に対して特に計算され、このために（実際の）使用状態を確立する。このことは、実際の使用者に対して、各使用状態に対する個々のパラメータを特別に確定し、プログレッシブ面を個別に計算し製作すること、あるいはＤＩＮ５８２０８のパート２に記載のような平均値にも通じる。
【図面の簡単な説明】
【図１】  目線の水平の動きにより生じる非点収差の差のリフト（ｄｐｔ）の比較を示す。
【図２】  目線の水平の動きにより生じる屈折平衡のリフト（ｄｐｔ）の比較を示す。
【図３】  目線の水平の動きにより生じる垂直プリズム偏差（ｃｍ／ｍ）のリフトの比較を示す。
【図１】
0005068411.tif 000002
【図２】
0005068411.tif 000003
【図３】
0005068411.tif 000004